(57)【要約】【課題】枠が変形しても、それに応じて扉の取り付け状態を修正でき、ロックに支障をきたすおそれがない扉装置を提供する。【解決手段】観音開きの扉体２，２に対して、各扉体２，２の外側端部に位置する軸５を回動する扉支承部材６を円弧の長穴７を介してボルト止めした。円弧の長穴７は上下で相互に同一円周上に位置する。扉支承部材６は前記軸５に沿う縦方向のチャンネル部材であり、円弧の長穴７はその上下に形成する。【選択図】        図１
2006283471.tif 000002
【特許請求の範囲】
【請求項１】
観音開きの扉体に対して、各扉体の外側端部に位置する軸を回動する扉支承部材を円弧の長穴を介してボルト止めしたことを特徴とする扉装置。
【請求項２】
円弧の長穴は上下で相互に同一円周上に位置する請求項１記載の扉装置。
【請求項３】
扉支承部材は前記軸に沿う縦方向のチャンネル部材であり、円弧の長穴はその上下に形成する請求項１または請求項２記載の扉装置。
【請求項４】
観音開きの扉体は、あわせ端側に閂を有する請求項１ないし請求項３のいずれかに記載の扉装置。
【請求項５】
閂はコまたはＬ字形であり、先端を扉体押し込み用の梃子杆に係合させる請求項１ないし請求項４のいずれかに記載の扉装置。
【発明の詳細な説明】
【技術分野】
【０００１】
本発明は、産業廃棄物運搬用のコンテナの扉装置に関するものである。
【背景技術】
【０００２】
産業廃棄物運搬用のコンテナは上面が開放したバケットタイプであり、トラック荷台等に搭載して運搬される。そして、コンテナは後端に扉を設けているが、この扉は三方枠に、観音開きの扉体が設けられる。また、扉体には上下方向へ移動する閂が設けられる。
【０００３】
このような産業廃棄物運搬用のコンテナの扉に関する特許文献は存在しない。
【０００４】
なお、扉枠の変形に対して長穴による結合をもって対応しようとしたものとしては下記特許文献があるが、これらはいずれも直線状の長穴によるものである。
【特許文献１】特開２００３−１８４４８号公報
【特許文献２】特開２００３−１４８０６２号公報
【特許文献３】特開平１１−１４１２１６号公報
【発明の開示】
【発明が解決しようとする課題】
【０００５】
前記コンテナでは、扉体の重さや衝撃により枠が変形し易い。扉体は蝶番を介して枠に設けられるものであり、枠と蝶番と扉体が一体になっているため、枠が変形してしまうと、扉体の閂によるロックが掛からなくなるおそれがある。
【０００６】
不完全なロックで走行すると、途中で扉が開いてしまうこともあり、非常に危険である。
【０００７】
本発明の目的は前記従来例の不都合を解消し、枠が変形しても、それに応じて扉の取り付け状態を修正でき、ロックに支障をきたすおそれがない扉装置を提供することにある。
【課題を解決するための手段】
【０００８】
前記目的を達成するため請求項１記載の本発明は、観音開きの扉体に対して、各扉体の外側端部に位置する軸を回動する扉支承部材を相互に同一円周上に位置する上下の円弧の長穴を介してボルト止めしたことを要旨とするものである。
【０００９】
請求項２に記載の本発明は、円弧の長穴は上下で相互に同一円周上に位置することを要旨とするものである。
【００１０】
請求項１記載および請求項２記載の本発明によれば、各扉体は長穴を介してボルト止めしたものであり、ボルトを緩めれば、長穴に沿ってその位置を調整することができる。その場合、長穴が直線的なものでは、枠の傾斜とともにこの長穴も傾斜して穴に沿って扉体を移動しても扉体の傾きを直すことはできない。本発明は長穴は相互に同一円周上に位置する上下の円弧であり、枠の傾斜に対応した形状なのでこの長穴に沿わせて扉体の取付けを修正し、その結果、扉体は容易に水平を保つことができる。
【００１１】
請求項３記載の本発明は、扉支承部材は前記軸に沿う縦方向のチャンネル部材であり、円弧の長穴はその上下に形成することを要旨とするものである。
【００１２】
請求項３記載の本発明によれば、前記作用に加えて、扉支承部材は扉体に係合するブラケットとしてチャンネル部材であり、これで扉体の側部全体を挟み込んで安定して支承でき、また、円弧の長穴はその上下に形成し、かつ、上下の円弧の長穴は相互に円周上に位置してこの円の弧であるので、三方枠の縦枠部分が傾斜したとしてもこの傾斜の角度に応じた修正回転をするように扉体を立て直すことができる。
【００１３】
請求項４記載の本発明は、観音開きの扉体は、あわせ端側に閂を有することを要旨とするものである。
【００１４】
請求項４記載の本発明によれば、扉体は閂を差し込むことで確実かつ堅牢にロックができる。
【００１５】
請求項５記載の本発明は、閂はコまたはＬ字形であり、先端を扉体押し込み用の梃子杆に係合させることを要旨とするものである。
【００１６】
請求項５記載の本発明によれば、扉体押し込み用の梃子杆を設けたので、この梃子杆で内側から荷の荷重がかかり開き難くなった扉体を押し込んで開く易くすることができる。また、閂はコまたはＬ字形であり、先端を扉体押し込み用の梃子杆に係合させることで、この押し込みを閂を介して行うことができる。
【発明の効果】
【００１７】
以上述べたように本発明の扉装置は、枠が変形しても、それに応じて扉の取り付け状態を修正でき、ロックに支障をきたすおそれがないものである。
【発明を実施するための最良の形態】
【００１８】
以下、図面について本発明の実施形態を詳細に説明する。図１は本発明の扉装置の第１実施形態を示す正面図で、図中１はトラック荷台等に搭載して運搬される産業廃棄物運搬用のコンテナである。
【００１９】
コンテナ１は上面が開放したバケットタイプであり、後端に観音開きの扉体２，２を設けている。また、下部には地上設置の時の移動用ローラ４を設けている。
【００２０】
この扉体２，２は三方枠（図示せず）に設けた蝶番３に取り付けるもので、蝶番３は各扉体２，２の外側端部に位置する軸５と蝶番片を介してこの軸５を回動する扉支承部材６とからなり、図２〜図５に示すように扉支承部材６は前記軸５に沿う縦方向のチャンネル部材で、この部分で扉体２，２の側部全体を挟み込めるようにした。
【００２１】
扉支承部材６の上下部分で突片６ａ，６ａを一体に横に突設し、この突片６ａには円弧の長穴７を形成した。該円弧の長穴７は上下の突片６ａでは、相互に大きな円周上に位置してこの円周率による弧であるように形成した。
【００２２】
前記観音開きの扉体２，２は、あわせ端側に上下方向への閂８ａ，８ｂを有する。このうち、閂８ａは図５に示すように、長い杆で、上端付近には横向きの閂片９を設け、これを他の扉体２の受けフック１０に係合できるようにした。
【００２３】
閂８ｂは短い杆で、これら閂８ａ，８ｂはその先端を扉枠側に設けた水平片のルーズホールによる閂穴１１に差し入れられるようにした。閂穴１１を横長のルーズホールとしたのは、扉体２，２の傾き修正に対応して閂８ａ，８ｂも垂直でなくなる為である。図中１３は閂８ａ，８ｂに設けた操作レバーである。さらに、これら閂８ａ，８ｂの下部には輪体によるストッパー２９をボルト３０で固定して設けた。該ストッパー２９は閂穴１１に対するストッパーである。
【００２４】
図中１４は閂８ｂの上方に設けたアングル材によるストッパーで、それ以上閂８ｂが上がらないようにしたもの、１５は双方の扉体２，２に設けた開時扉固定用チェーンである。
【００２５】
図３に示すように、扉体２，２の側部に扉支承部材６を嵌め、突片６ａ，６ａの円弧の長穴７を通してボルト１６を貫通させ、ナット１７で締結する。その際、ナット１７の外れ防止として割りピン１８をボルト１６に貫通させる。
【００２６】
次に使用法について説明する。前記のように扉体２，２は枠に蝶番３と扉支承部材６を固定し、ボルト１６とナット１７で止めるものであり、円弧の長穴７に沿って自在に動く。従って、枠が変形してもボルト１６とナット１７を緩めて扉体２を元の水平位置に戻すことができ、再度、ボルト１６とナット１７を締め直せば、閂８ａ，８ｂを差し込んでロックができる。
【００２７】
また、扉体２，２の閉鎖時に衝撃があり、軸５や閂８ａ，８ｂに負荷がかかる場合でも閂穴１１はルーズホールなので閂８ａ，８ｂへの負荷は掛かりにくいものとなる。
【００２８】
荷卸の際は扉体２，２を開けて枠本体に扉体２，２を固定する必要がある。枠が変形した場合この扉体の固定用の金物も位置が合わなくなる。本発明の場合は、扉体２，２に設けた開時扉固定用チェーン１５により扉体２，２を開けて枠本体に固定できる。
【００２９】
図６〜図８は本発明の第２実施形態を示すもので、前記閂８ａ，８ｂに替えて扉体２，２に横コ字形または逆Ｌ字形の閂１９を扉体２，２に取り付けた。該閂１９は軸受管２０により回動かつ上下動自在に設けられるが、軸受管２０より下方への突出部へバネ２１を装着して下方へ付勢することによりロック中に外れが生じないようにした。
【００３０】
この閂１９は先端を扉体押し込み用の梃子杆２２の係合管２３に差し込むもので、梃子杆２２は直立状態から手前側に傾倒可能なもので、下部をコンテナ１の下端枠２４に設けた受板２５に軸支される。図中２８は押え板であり、これは梃子杆２２側または扉体２，２のいずれに設けてもよい。
【００３１】
扉体２，２の閂１９の上方には、回動片２６と受けフック２７による上部ロックを取り付けた。
【００３２】
使用に際して扉体２，２を閉める時は図８の下向き矢印のように梃子杆２２を倒し、扉体２，２を閉めて、梃子杆２２を起こし、閂１９は先端を係合管２３に差し込んでロックし、また、回動片２６と受けフック２７による上部ロックを掛ける。
【００３３】
扉体２，２を開ける時は、前記上部ロックを外し、梃子杆２２を押して扉体２，２を押し込むようにしながら閂１９を外し、梃子杆２２を倒す。
【００３４】
このようにすれば、扉体２，２が中の積荷の加重を受けて押し広がろうとしていても、これを戻して閂１９を簡単に外すことができる。
【産業上の利用可能性】
【００３５】
以上の実施形態は産業廃棄物運搬用のコンテナの扉の場合について述べたが、本発明の扉装置は、観音開きの扉体を有するものであれば、いずれでも適用できる。
【図面の簡単な説明】
【００３６】
【図１】本発明の扉装置の第１実施形態を示す正面図である。
【図２】本発明の扉装置の要部の分解正面図である。
【図３】本発明の扉装置の蝶番部分の平面図である。
【図４】本発明の扉装置の蝶番部分の斜視図である。
【図５】本発明の扉装置の第１実施形態を示す要部の正面図である。
【図６】本発明の扉装置の第２実施形態を示す正面図である。
【図７】本発明の扉装置の第２実施形態を示す斜視図である。
【図８】本発明の扉装置の第２実施形態を示す要部の側面図である。
【符号の説明】
【００３７】
１  コンテナ
２  扉体
３  蝶番
４  移動用ローラ
５  軸
６  扉支承部材
６ａ  突片
７  円弧の長穴
８ａ，８ｂ  閂
９  閂片
１０  受けフック
１１  閂穴
１３  操作レバー
１４  ストッパー
１５  開時扉固定用チェーン
１６  ボルト
１７  ナット
１８  割りピン
１９  閂
２０  軸受管
２１  バネ    
２２  梃子杆
２３  係合管
２４  下端枠
２５  受板
２６  回動片
２７  受けフック
２８  押え板
２９  ストッパー
３０  ボルト
【図１】
2006283471.tif 000003
【図２】
2006283471.tif 000004
【図３】
2006283471.tif 000005
【図４】
2006283471.tif 000006
【図５】
2006283471.tif 000007
【図６】
2006283471.tif 000008
【図７】
2006283471.tif 000009
【図８】
2006283471.tif 000010